(57)【要約】【課題】空間等内を効率的に脱臭したり、殺菌したりする空間等脱臭殺菌装置を提供する。また、高濃度のオゾンを生成して空間等内を脱臭したり、殺菌したりした後においては、高濃度のオゾンを効率的に分解して生物に対する悪影響を回避して安全性を確保する空間等脱臭殺菌装置を提供する。更に、装置内に取り込まれる空気を脱臭したり、殺菌したりして空間等を効率的に脱臭殺菌する空間等脱臭殺菌装置を提供する。【解決手段】空気流路の空気に対してオゾン生成用紫外線発光部材（３１）から出力されるオゾン生成用紫外線によりオゾンを生成すると共に通過する空気を殺菌し、空間等内に放出されたオゾンを含有する空気により空間等内を脱臭、殺菌等を行う。空間等内の脱臭、殺菌後においては、オゾンが含有された空気流路の空気に対してオゾン分解用紫外線発光部材（３３）から出力されるオゾン分解用紫外線により空気中に含有されたオゾンを酸素に分解して低濃度化すると共に通過する空気を殺菌する。【選択図】図３
2016022231.tif 000002
【特許請求の範囲】
【請求項１】
空気流入口及び空気吐出口が設けられた本体ケースと、
空気流入口及び空気吐出口の少なくともいずれか一方に応じた本体ケースに設けられ、空気流入口から空気吐出口に至る空気流路を形成する送風部材と、
該本体ケース内における空気流入口から空気吐出口に至る空気流路に設けられるオゾン生成用紫外線発光部材及びオゾン分解用紫外線発光部材と、
を備え、
空気流路の空気に対してオゾン生成用紫外線発光部材から出力されるオゾン生成用紫外線によりオゾンを生成すると共に通過する空気を殺菌し、空間等内に放出されたオゾンを含有する空気により空間等内を脱臭、殺菌等を行う一方、オゾンが含有された空気流路の空気に対してオゾン分解用紫外線発光部材から出力されるオゾン分解用紫外線により空気中に含有されたオゾンを酸素に分解して低濃度化すると共に通過する空気を殺菌する空間等脱臭殺菌装置。
【請求項２】
請求項１において、
オゾン生成用紫外線発光部材及びオゾン分解用紫外線発光部材は、本体ケース内における空気流入口から空気吐出口に至る空気流路に設けられ、空気流入口及び空気吐出口に対応してスリットがそれぞれ設けられたオゾンユニット内に設けた空間等脱臭殺菌装置。
【請求項３】
請求項２において、
オゾンユニット内には、オゾン生成用紫外線発光部材及びオゾン分解用紫外線発光部材を覆い、紫外線が透過可能な透明板を設けた空間等脱臭殺菌装置。
【請求項４】
請求項２において、
オゾンユニットに設けられる各スリットには、紫外線遮光板を空気が通過可能に設けた空間等脱臭殺菌装置。
【請求項５】
請求項４において、
各紫外線遮光板は、オゾンユニットのケースに対してスリットを打抜き形成する際に、各スリットの打抜き残片を所定の角度で切起こした空間等脱臭殺菌装置。
【請求項６】
請求項１において、
少なくとも空気流入口に応じた本体ケースには、本体ケース内に流入する空気に含まれる埃等を分離除去するフィルターを設けた空間等脱臭殺菌装置。
【請求項７】
請求項１において、
運転モードを、オゾン生成を所定時間継続した後にオゾン分解を所定時間実行するオゾン生成分解モード、オゾン生成のみを所定時間の間、実行するオゾン生成モード、オゾン分解のみを所定時間実行するオゾン分解モードに切換え可能にした空間等脱臭殺菌装置。
【発明の詳細な説明】
【技術分野】
【０００１】
本発明は、例えば居室や倉庫等の各種空間内の空気や該空間を構成する壁面、床面、天井面、該空間内に配置された各種設備等（以下、これらを総称して空間等と称する。）の表面を脱臭したり、浮遊したり付着したりする菌、カビやウィルスを殺菌（ウィルスの不活性化）したりする空間等脱臭殺菌装置に関する。
【背景技術】
【０００２】
オゾンは、強い酸化作用があり、この酸化作用により殺菌、脱臭、有機物の除去等に使用される特徴を有している。オゾンの上記特徴を利用して空間等を脱臭したり、菌やカビを殺菌したりする装置例として、例えば特許文献１に示す空気殺菌等機構が知られている。
【０００３】
該特許文献１は、空気中に浮遊する菌、カビおよびウィルスの少なくとも一方を捕集する捕集部と、前記菌および前記ウィルスの少なくとも一方を死滅または／および不活化させるオゾン含有流体を生成するオゾン含有流体生成部と、オゾン含有流体を捕集部に供給するためのオゾン含有流体供給路と、捕集部を介してオゾン含有流体供給路の出口に対向し、捕集部に供給されたオゾン含有流体を回収するオゾン含有流体回収部と、オゾン含有流体回収部により回収されたオゾン含有流体を大気中に排出するオゾン含有流体排出部と、オゾン含有流体排出部に設けられ、オゾン含有流体に含まれるオゾンを分解するオゾン分解部）とから空気殺菌等機構を構成している。
【０００４】
しかし、特許文献１に示すオゾン含有流体生成部とは、コロナ放電器、プラズマ放電器、沿面放電器、グロー放電器、ストリーマ放電器等により構成されるため、高濃度のオゾンを効率的に生成することが困難で、空間等内を短時間に脱臭したり、殺菌したりすることが困難であった。
【０００５】
この欠点は、複数のオゾン含有流体生成部を設けて高濃度のオゾンを生成することにより解決することができるが、空間等内に高濃度のオゾンが長時間に亘って残留するため、空間等内の生物細胞を破壊したりして悪影響を与える問題が生じている。
【０００６】
また、特許文献１の空気殺菌等機構は、コロナ放電器、プラズマ放電器、沿面放電器、グロー放電器、ストリーマ放電器等によりオゾン含有流体生成部が構成されるため、該空気殺菌等機構内に取り込まれた空気をオゾン以外の作用で効率的に脱臭したり、殺菌したりすることができない問題を有している。
【先行技術文献】
【特許文献】
【０００７】
【特許文献１】特開２００５−２１１２７７号公報
【発明の概要】
【発明が解決しようとする課題】
【０００８】
解決しようとする問題点は、空間等内を短時間に脱臭したり、殺菌したりするのが困難な点にある。
【０００９】
また、高濃度のオゾンを生成して空間等内を脱臭したり、殺菌したりする場合には、空間等内に高濃度のオゾンが長時間に亘って残留して生物に悪影響を与える点にある。
【００１０】
更に、装置内に取り込まれる空気を脱臭したり、殺菌したりすることができず、脱臭殺菌効率が悪い点にある。
【課題を解決するための手段】
【００１１】
本発明は、空気流入口及び空気吐出口が設けられた本体ケースと、空気流入口及び空気吐出口の少なくともいずれか一方に応じた本体ケースに設けられ、空気流入口から空気吐出口に至る空気流路を形成する送風部材と、該本体ケース内における空気流入口から空気吐出口に至る空気流路に設けられるオゾン生成用紫外線発光部材及びオゾン分解用紫外線発光部材とを備え、空気流路の空気に対してオゾン生成用紫外線発光部材から出力されるオゾン生成用紫外線によりオゾンを生成すると共に通過する空気を殺菌し、空間等内に放出されたオゾンを含有する空気により空間等内を脱臭、殺菌等を行う一方、オゾンが含有された空気流路の空気に対してオゾン分解用紫外線発光部材から出力されるオゾン分解用紫外線により空気中に含有されたオゾンを酸素に分解して低濃度化すると共に通過する空気を殺菌することを最も主要な特徴とする。
【発明の効果】
【００１２】
本発明は、空間等内を効率的に脱臭したり、殺菌したりすることができる。また、高濃度のオゾンを生成して空間等内を脱臭したり、殺菌したりした後においては、高濃度のオゾンを効率的に分解して生物に対する悪影響を回避して安全性を確保することができる。更に、装置内に取り込まれる空気を脱臭したり、殺菌して空間等を効率的に脱臭殺菌することができる。
【図面の簡単な説明】
【００１３】
【図１】空間等脱臭殺菌装置の外観を示す斜視図である。
【図２】空間等脱臭殺菌装置の正面カバーを取り外して内部構造を示す説明図である。
【図３】空間等脱臭殺菌装置の概略中央縦断面図である。
【図４】オゾンユニット内における紫外線の出力状態を示す説明図である。
【発明を実施するための形態】
【００１４】
空気流路の空気に対してオゾン生成用紫外線発光部材から出力されるオゾン生成用紫外線によりオゾンを生成すると共に通過する空気を殺菌し、空間等内に放出されたオゾンを含有する空気により空間等内を脱臭、殺菌等を行う一方、空間等内の脱臭、殺菌後においては、オゾンが含有された空気流路の空気に対してオゾン分解用紫外線発光部材から出力されるオゾン分解用紫外線により空気中に含有されたオゾンを酸素に分解して低濃度化すると共に通過する空気を殺菌することを最良の実施形態とする。
【実施例１】
【００１５】
以下、本発明の実施例を図に従って説明する。
図１乃至図３に示すように、空間等脱臭殺菌装置１は、空間等内に床置き設置され、その本体ケース３は、内部に所定容量の空間を有し、その下面には、空気流入口５が、また、上面には、空気吐出口７がそれぞれ設けられる。更に、本体ケース３の上面には、空間等脱臭殺菌装置１の運転モード設定スイッチ、タイマー設定ダイアル等の各種設定部材３ａが設けられている。
【００１６】
なお、上記した空気流入口５は、本体ケース３の下部に限定されるが、空気吐出口７は、空気流入口５から流入した空気が後述するオゾンユニット１９を通過して吐出可能な本体ケース３の上部に設ける構成であればよい。
【００１７】
上記空気吐出口７に応じた本体ケース３の上部には、空気吐出口金９が設けられ、該空気吐出口金９における空気の送風方向上手には、電動ファン等の送風部材１１が設けられ、内部の空気を強制的に排出させる。また、本体ケース３の上面から外部に突出する空気吐出口金９には、曲げ角度が自在調整できる排気ダクト１３が設けられる。該排気ダクト１３は、任意に屈曲させて所望の放出方向を向くように調整される。
【００１８】
空気流入口５に応じた本体ケース３の下面には、フィルター１５が交換可能に設けられる。該フィルター１５は、空気流入口５の三方周縁に対応する本体ケース３の下面に設けられた係合フランジ１７に対し、対応する側縁が係止されるように挿入されて着脱可能に取り付けられる。
【００１９】
上記空気流入口５及び空気吐出口７間に応じた本体ケース３内には、オゾンユニット１９が設けられる。該オゾンユニット１９のケース２１は、本体ケース３の正面板に当接する水平長さの上板及び下板２１ａ・２１ｂを設けた側面横向きコ字形で、その上板２１ａ及び下板２１ｂには、空気の通過を可能にする複数個のスリット孔２３・２５がそれぞれ形成されると共に各スリット孔２３・２５に対応する上板２１ａ及び下板２１ｂには、紫外線遮光板２７・２９が空気の通過を可能にした状態で設けられる。
【００２０】
上記上板２１ａ及び下板２１ｂの正面端面及び側端面には、本体ケース３の対応する側板の内面に当接して気密化する気密材２１ｃが設けられ、本体ケース３内にオゾンユニット１９を気密状に配置し、空気流入口５から流入した空気がオゾンユニット１９を通過して空気吐出口７から吐出するようにする。
【００２１】
なお、ケース２１は、上記した側面横向きコ字形の他にボックス形状、正面が開放した箱形状としてもよい。正面が開放した箱形状のケース２１にあっては、ケース２１の正面側端面に気密材（図示せず）を取り付け、本体ケース３内に取り付けた際に、本体ケース３の正面板内面に当接して気密化し、空気流入口５から流入した空気がケース２１内を通過するようにしてもよい。
【００２２】
各紫外線遮光板２７・２９は、ケース２１の上面及び下面において複数個のスリット孔２３・２５を打抜き形成する際に、各スリット孔２３・２５の打抜き残片を適宜の角度（後述するオゾン生成用紫外線やオゾン分解用紫外線を反射して外部への漏洩を規制可能な角度）で傾斜させて形成される。そしてケース２１内には、下面のスリット孔２３から流入した空気を上面のスリット孔２５から流出するように通過させる。
【００２３】
上記ケース２１の内部には、紫外線ランプや紫外線発光ダイオード等の複数個のオゾン生成用紫外線発光部材３１及びオゾン分解用紫外線発光部材３３がそれぞれ設けられる。各オゾン生成用紫外線発光部材３１は、ケース２１内を通過する空気中の酸素を解離してオゾンを生成すると共に通過する空気を殺菌するオゾン生成用紫外線を出力する。また、オゾン分解用紫外線発光部材３３は、ケース２１内を通過する空気中のオゾンを酸素に分解すると共に通過する空気を殺菌するオゾン分解用紫外線を出力する。
【００２４】
なお、ケース２１内に設けられたオゾン生成用紫外線発光部材３１及びオゾン分解用紫外線発光部材３３は、ケース２１内を流通する空気中に含まれる埃等が付着してオゾン生成用紫外線やオゾン分解用紫外線の出力が低下する恐れがある。これを防止するため、オゾン生成用紫外線発光部材３１及びオゾン分解用紫外線発光部材３３の前面に応じたケース２１内にオゾン生成用紫外線やオゾン分解用紫外線が透過可能な透明板（図示せず）を気密状（埃等の侵入を防止することができる程度の気密性）に設けてオゾン生成用紫外線発光部材３１及びオゾン分解用紫外線発光部材３３に埃等が直接付着するのを規制する構成としてもよい。
【００２５】
次に、上記のように構成された空間等脱臭殺菌装置１の作用を使用態様に基づいて説明する。
【００２６】
先ず、人等が使用する居住空間等を脱臭したり、殺菌したりする場合にあっては、例えば居住空間等が無人になる夜間に空間等脱臭殺菌装置１を居住空間等内にセットした後に電源スイッチをＯＮ操作すると、送風部材１１を起動して居住空間等内の空気を空気流入口５から取り込んだ後にオゾンユニット１９を通過させて空気吐出口７から排気する空気の流れを形成すると共にオゾン生成用紫外線発光部材３１を点灯し、該オゾン生成用紫外線発光部材３１から出力されるオゾン生成用紫外線によりオゾンユニット１９内を通過する空気中の酸素を解離してオゾンを生成すると共に通過する空気を殺菌する。
【００２７】
これにより空気吐出口７から排気される空気中には、高濃度のオゾンが含まれるため、居住空間等内には、高濃度のオゾンが充満されることになる。そして居住空間等内に充満される空気中のオゾンによる酸化作用により居住空間等内を脱臭したり、浮遊する菌やウィルスを殺菌したりする。
【００２８】
なお、空間等脱臭殺菌装置１内を通過する空気は、オゾン生成用紫外線発光部材３１から出力されるオゾン生成用紫外線による殺菌されるため、オゾンによる殺菌作用との相乗効果により空間等における空気の殺菌効率が高められる。
【００２９】
そしてオゾン生成用紫外線発光部材３１の点灯後、予め設定された所定の時間が経過した際には、オゾン生成用紫外線発光部材３１を消灯してオゾンの生成を停止させると共にオゾン分解用紫外線発光部材３３を点灯し、該オゾン分解用紫外線発光部材３３から出力されるオゾン分解用紫外線を、居住空間等内を循環してオゾンユニット１９内を通過する空気に出力し、含まれるオゾンを酸素に分解して居住空間等内におけるオゾン濃度を低下させると共に通過する空気を殺菌する。
【００３０】
その際、空気中に含まれるオゾンは、空気より重く、空間等内の下部に溜まる傾向があるが、本実施例の空間等脱臭殺菌装置１は、下部から空間等内の空気を取り込むように構成されるため、空気中に含まれるオゾンを効率的に分解して低濃度化することができる。
【００３１】
そしてオゾン分解用紫外線発光部材３３によるオゾンの分解時間が予め設定された所定の時間を経過した際には、オゾン分解用紫外線発光部材３３を消灯させると共に送風部材１１の駆動を停止させて居住空間等の脱臭、殺菌を終了する。
【００３２】
なお、オゾン分解用紫外線発光部材３３に付いては、居住空間等内の空気に自然界中に存在するオゾンを酸素に分解する作用があるため、点灯を継続してもよい。
【００３３】
上記したオゾンの生成時及びオゾン分解時においては、図４に示すようにオゾン生成用紫外線発光部材３１及びオゾン分解用紫外線発光部材３３の点灯により出力されるオゾン生成用及びオゾン分解用の紫外線がスリット孔２３・２５を通過して外部に漏洩し、居住空間等内にいる人体等に悪影響を与える恐れがある。本実施例においては、各スリット孔２３．２５に対応して設けられた紫外線遮光板２７・２９により外部に対する紫外線の漏洩を低減して人体等に対する悪影響を防止する。
【００３４】
また、送風部材11の駆動に伴って空気流入口５から流入する空気中の含まれる埃等がオゾン生成用紫外線発光部材３１やオゾン分解用紫外線発光部材３３に付着して紫外線の出力を低下させてオゾン生成能力やオゾン分解能力が悪くなる恐れがある。本実施例においては、空気流入口５にフィルター１５を設け、該フィルター１５により埃等が分離された空気をオゾンユニット１９内へ流入させることにより上記した不都合を解消することができる。
【００３５】
次に、例えば倉庫等の空間等を脱臭したり、殺菌したりする場合にあっても、上記と同様にオゾン生成用紫外線発光部材３１を所定時間の間、点灯してオゾンを生成して脱臭したり、殺菌した後にオゾン分解用紫外線発光部材３３を点灯して空間等内の残留オゾンを分解してもよいが、倉庫自体、比較的人の出入りが少ないため、オゾン生成用紫外線発光部材３１の消灯後においては、オゾン分解用紫外線発光部材３３を点灯せずに空間等内における残留オゾンを自然分解させてもよい。
【００３６】
なお、空間等脱臭殺菌装置１の運転モードについては、例えばオゾン生成を所定時間継続した後にオゾン分解を所定時間実行するオゾン生成分解モード、オゾン生成のみを所定時間の間、実行するオゾン生成モード、オゾン分解のみを所定時間実行するオゾン分解モード等を設け、用途に応じて選択できるようにすればよい。
【００３７】
上記説明は、空気流入口５に応じた本体ケース３の下面にフィルター１５を交換可能に取り付ける構成としたが、スリット孔２３・２５に目詰まりする大きさの埃等が進入するのを規制する金網を固定的に取り付けた構成としてもよい。
【符号の説明】
【００３８】
１  空間等脱臭殺菌装置
３  本体ケース
３ａ  設定部材
５  空気流入口
７  空気吐出口
９  空気吐出口金
１１  送風部材
１３  排気ダクト
１５  フィルター
１７  係合フランジ
１９  オゾンユニット
２１  ケース
２１ａ  上板
２１ｂ  下板
２１ｃ  気密材
２３・２５  スリット孔
２７・２９  紫外線遮光板
３１  オゾン生成用紫外線発光部材
３３  オゾン分解用紫外線発光部材
【図１】
2016022231.tif 000003
【図２】
2016022231.tif 000004
【図３】
2016022231.tif 000005
【図４】
2016022231.tif 000006